(57)【要約】      （修正有）【課題】小型で安価、取扱いが容易で専用の工具が必要ない組立て机を提供する。【解決手段】背板部に天板を回動可能に蝶着するとともに、両側の脚および中間の脚を同じく回動自在に蝶着して一体化し、引き出しおよび袖部の上下の板を嵌め込みとして、組み立ておよび分解を工具なしで行えるようにする。【選択図】図７
0003132276.tif 000002
【実用新案登録請求の範囲】
【請求項１】
直立状態の背板部の両側端部に、それぞれ背板部に重合する方向へ回動可能に２枚の脚部を蝶番で取り付け、両側の脚部間を略３等分する位置にはもう一枚の脚部を、広い方の空間の内側へ回動可能に蝶番で取り付け、３枚の脚部が背板部に対し直角に回動して構成する２つの空間のうち、広い方の空間の両側脚部の上部近辺の手前側から奥側の対向する同高さ位置にはそれぞれレールを設けて棚板をスライド挿脱可能とし、狭い空間の両側脚部の上方手前側および奥側の対向位置にはボスを設けて棚板を掛け渡し、同じく下部には同様に対向する位置にボスを設けて底板を掛け渡し、背板部の上端部に、脚部の蝶番とは９０度交差する方向の蝶番で背板部に重合するよう設けた天板をそれぞれの脚部上端で支持することを特徴とする組立て式机。
【考案の詳細な説明】
【技術分野】
【０００１】  本考案は、組立て式の机に係るものであり、最小数の部材に分割して小型化を図り、運搬の際の形を小さくして取扱い性を向上し、運賃を安価にするとともに、組立ての際には一人での作業が可能なように蝶番結合を多用して作業の迅速化を追及した机に関するものである。
【背景技術】
【０００２】従来より組立式の机は種々提案されているが、それらは構成部品を何点かに分けて製作し、設置場所でそれらの部材を強固に組み立てるものであった。よって、組立ては可能に設計されているものであるが、それに要する時間、労力は多大なものであり、分解しての収納・再移動については考慮されたものではなく、また、部材を分化したが故に、連結を強化するための連結金具などを含めた重量については考慮されないものであった。
【考案の開示】
【考案が解決しようとする課題】
【０００３】組立て式机の構成部品を細かに分割して製作することは、運搬性、取扱い性には利点があるものの、組立て時には、多くの手間がかかるものであった。連結箇所が多くなり、その強度を確保するため連結部材に金属を多用することにより、ねじ頭の収納穴を開けるなど、部材の加工に手間がかかるものであった。また組立て時には接着剤を用いるなど、時間を要することが多く、部材の仮固定、仮組立てを一人ではできない事も多く、課題が残っていた。また実生活において、組立て式の机を一度設置すればそのまま何十年も同じ位置で使用することは考えられず、一般的には、子供の成長に伴い、また、家族の異動に従って随時位置を変えたり、使用を中断して収納するなどの必要が考えられるものである。
【課題を解決するための手段】
【０００４】本願では以上のような課題を解決するため、軽量で取扱い性、組立ての容易性に加えて、分解収納、再組立ても容易に可能な組立て式の机を開示するものである。本願の採用する手段は、机の主要構成部材である天板と背板部および背板部と３枚の脚部を蝶番で連結して一体に構成する。背板部に蝶番結合した脚部はそれぞれ所定方向へ回動自在に構成し、所定角度回動して支える天板に対し直角を形成した３枚の脚部間に、２枚の棚板および底板を渡すことによって全体形状を固定するものである。
よって、机の組立て部材としては、天板、背板部、３枚の脚部は連続した１つの部材であり、２枚の棚板、１枚の底板の４つの分割部材から本願は成り立つ。
【考案の効果】
【０００５】以上のように、本考案の組立て式机は、主要な部材を蝶番連結することによって一体化し、従来の組立て式に見られた連結部材を省略して、煩雑な作業を省いたものである。つまり、接着剤の塗布や多くのネジを締める作業は必要なく、背板部に蝶番結合された３枚の脚部を所定角度開いて天板を支持し、脚部間を棚板、底板で離隔保持して全体形状を固定するものである。
以上の簡単な作業で、組立てが終了し、従来に見られた部材、接続部品などの紛失の問題もなく、容易に軽量な机の構成が得られるものである。
【考案を実施するための最良の形態】
【０００６】本考案の最良の実施形態は、直立状態の背板部の両側端部にそれぞれ内側へ回動可能に２枚の脚部を蝶番で取り付ける。両側の脚部間を略３等分する位置にはもう一枚の脚部を、広い方の空間の内側へ回動可能に蝶番で取り付ける。よって３枚の脚部のうち２枚は同方向へ折り畳み、他の１枚は対向して折り畳まれるものである。また、脚部の最大開放は、背板部に対して直角を形成するものであり、蝶番の構造上それ以上の回動は起こり得ないものである。３枚の脚部が回動して構成する２つの空間は一方は広く他方は約半分の広さであるが、広い方の空間の両側脚部の上部近辺の手前側から奥側の対向する同高さ位置にはそれぞれレールを設けて棚板をスライド挿脱可能とし、狭い空間の方の上方手前側および奥側の対向位置にはボスを設けて、ボスには棚板を掛け渡す。また、狭い空間の方の下部には同様に対向する位置にボスを設けて底板を掛け渡す。背板部の上端部には、脚部の蝶番とは９０度交差する方向の蝶番で天板が取り付けられる。脚部の適正位置への回動配置後、天板の蝶番を回動して、それぞれの脚部上端で支持するものである。以上のように組み立てが可能であるが、解体時には逆の手順で、背板部、脚部、天板の連結体と、大小２枚の棚板、底板の４部材に分解されるものである。
【実施例】
【０００７】本考案に係る組立て式机の実施例を示す。１は天板、２は背板部、３１、３２、３３は脚部、４１，４２は棚板、５は底板である。それぞれの部材は、木質ボード、ラバーウッドなどの素材で構成し、軽量化の目的を達するため、天板１、棚板４１，４２、底板５を除き簀の子状に桟を組み合わせて構成する。【０００８】天板１は背板部２の上端に３カ所蝶番で連結する。背板部２は、略方形の枠状で、左右の縦片２３，２３間上端部に上片２１を、また下端より少し上の位置に下片２２を掛け渡して固定する。上片２１と下片２２間には５本の縦桟を連結して装飾的な補強材とする。縦片２３，２３は脚部３１，３２の取り付け部材となる。天板１と背板部２は、３カ所の蝶番によって両者が重合状態になる位置から、直角を形成する位置まで回動可能に構成する。【０００９】脚部３１，３２，３３はそれぞれ方形の枠状で、上下辺は両側の辺の上下端よりいずれも内へ入った構成であり、上下辺の間には３本の縦桟を配して補強する。脚部３１，３２は、背板部２の縦片２３，２３に上下２カ所蝶番で固定する。この際、互いに内側に向け回動するように取り付けるものである。両側の脚部間を略３等分する位置にはもう一枚の脚部３３を、広い方の空間の内側へ回動可能に蝶番で取り付ける。よって３枚の脚部のうち２枚は同方向へ折り畳み、他の１枚は対向して折り畳まれるものである。また、脚部３１，３２，３３の最大開放は、背板部に対して直角を形成するものであり、蝶番の構造上それ以上の回動は起こり得ないものである。【００１０】天板１と背板部２の連結体は、直角を形成する位置で、３枚の脚部３１，３２，３３によって支持されるものである。３枚の脚部３１，３２，３３は背板部２に対して直角を形成し、この状態でも十分剛体的な構成ではあるが、３枚の脚部が構成する２つの大小空間上部には、それぞれ棚板４１，４２を掛け渡す。棚板４１は、脚部３１，３３の上端部に相対応して設けたレールによってスライド自在に配置され、引き出しの役目をする。よって、棚板４１は、手前側に桟を備えて天板との間を閉鎖し、先端部両側にはローラーを備えてレール上の転動用とする。脚部３２，３３間に配する棚板４２はそれぞれの脚３２，３３に設けたボスに嵌合して半固定とするものである。またこの棚板４２と対応して底板５も同様にボスに嵌合して半固定とする。【００１１】以上のような構成でなる本考案であるが、以下その使用形態について説明する。第１図は本考案を組み立てた状態図であるが、組み立てはまず第５図の状態より始める。この第５図の構成に加え、棚板４１，４２、底板５が別に準備されているものである。【００１２】第５図に２点鎖線で示した天板１を背板部２に対して直角に回動すると第４図に示す状態となるが、両側の脚部３１，３２をそれぞれ外側へ向け直角に回動して自立可能とする。これが第３図の状態である。次に中間に位置する脚部３３を回動して３枚の脚部３１，３２，３３がそれぞれ平行となる配置として安定させる。次に棚板４１を脚部３１，３３に設けたレールに嵌挿し、同じく棚板４２を脚部３２，３３に設けたボスに嵌入して固定する。また底板５も同様に嵌めて全体を強固に構成する。
以上で本考案の組み立ては完了する。【００１３】本考案の効果の一つでもある分解については、まず棚板４１，４２および底板５を取り外し、脚部のうち中間に位置するもの３３を折り畳み、次に両側の脚部３１，３２を折り畳む。脚部３１，３２，３３が背板部２と重合した後、天板１をそれに重合して折り畳んで分解は終了する。この状態は第５図に示す。【００１４】以上のように、主要な部材を蝶番で結合して組み立て、分解の手順を簡素化するとともに、部材の紛失を防ぎ、強固な連結金具を廃して軽量化を図り、工具の必要性もなくなるものである。
【図面の簡単な説明】
【００１５】
【図１】本考案の実施例のうち組み立て後の状態を示したものである。
【図２】実施例の組み立て後の側面を示したものである。
【図３】実施例の中央部の脚を折り畳んだ状態を示したものである。
【図４】実施例のすべての脚を折り畳んだ状態を示したものである。
【図５】実施例の組み立て前の状態を示したものである。
【図６】天板を折り畳んだ状態の側面図を示したものである。
【図７】棚板や底板の配置を示したものである。
【図８】実施例の組み立て状態を示した斜視図である。
【符号の説明】
【００１６】    １    天板
２    背板部
５    底板
３１  脚部
３２  脚部
３３  脚部
４１  棚板
４２  棚板
【図１】
0003132276.tif 000003
【図２】
0003132276.tif 000004
【図３】
0003132276.tif 000005
【図４】
0003132276.tif 000006
【図５】
0003132276.tif 000007
【図６】
0003132276.tif 000008
【図７】
0003132276.tif 000009
【図８】
0003132276.tif 000010